(57)【要約】【課題】適用するレジスタでの作業性を向上させ、かつ棒状硬貨の管理をより確実に行うこと。【解決手段】装置本体１０の前面から手前側に向けて引き出し可能に配設した収納体２０を備え、収納体２０の引き出し方向手前側には、各別の硬貨を収納するバラ硬貨収納部２１が形成され、収納体２０の引き出し方向奥側には、複数枚の硬貨を積層して包装した棒状硬貨を収納する棒状硬貨収納部２２が形成されている硬貨収納装置１であって、バラ硬貨収納部２１は、収納体２０の前面に配設されたバラ硬貨取出扉３１を介して硬貨を取り出し可能に形成した。【選択図】図３
2011018231.tif 000002
【特許請求の範囲】
【請求項１】
装置本体の前面から手前側に向けて引き出し可能に配設した収納体を備え、該収納体の引き出し方向手前側には、各別の硬貨を収納するバラ硬貨収納部が形成され、前記収納体の引き出し方向奥側には、複数枚の硬貨を積層して包装した棒状硬貨を収納する棒状硬貨収納部が形成されている硬貨収納装置であって、
前記バラ硬貨収納部は、前記収納体の前面に配設されたバラ硬貨取出扉を介して硬貨を取り出し可能に形成されていることを特徴とする硬貨収納装置。
【発明の詳細な説明】
【技術分野】
【０００１】
本発明は、予め設定した複数枚の硬貨を積層して包装した棒状硬貨と、バラ硬貨とを収納する硬貨収納装置に関するものである。
【背景技術】
【０００２】
昨今のスーパーマーケットやコンビニエンスストアでは、ＰＯＳ（Ｐｏｉｎｔ  Ｏｆ  Ｓａｌｅｓ）レジスタに釣銭機と称される貨幣処理装置が接続されているのが一般的である。貨幣処理装置は、例えば貨幣が投入された場合にこれを鑑別して収納する一方、ＰＯＳレジスタから出金指令が与えられた場合には該当する金額の貨幣を払い出すようにしたものである。
【０００３】
この種の貨幣処理装置には、硬貨収納装置が付設されている。硬貨収納装置は、予め設定した複数枚の硬貨を積層して包装した棒状硬貨と、トラブル時等においてお釣りを即座に支払うためのバラ硬貨とを準備金として収納するものである。
【０００４】
ところで、貨幣処理装置を運用する際に、棒状硬貨を補充する人と、お釣りを支払う人とを分けるようにして管理を行う場合がある。このような管理を行うために、従来、棒状硬貨及びバラ硬貨を収納する収納箱が２段階に引き出し可能である硬貨収納装置が提供されている。この硬貨収納装置は、１段階引き出した際には、バラ硬貨が取り出し可能となり、２段階引き出した際には、棒状硬貨が取り出し可能になっている（例えば、特許文献１参照）。
【先行技術文献】
【特許文献】
【０００５】
【特許文献１】特開平１１−３２８４８５号公報
【発明の概要】
【発明が解決しようとする課題】
【０００６】
しかしながら、この２段階引き出し式の硬貨収納装置は、１段階引き出した際に、それ以上引き出されないようにするためのストッパを設ける必要があり、このストッパが誤作動すると、２段階目の引き出しが不可能になるという問題があった。
【０００７】
そこで、本発明は、上記実情に鑑みて、上述のような２段階引き出し構造を用いなくとも、棒状硬貨を補充する人と、お釣りを支払う人とを分ける管理が可能な硬貨収納装置を提供することを目的とする。
【課題を解決するための手段】
【０００８】
上記目的を達成するため、本発明に係る硬貨収納装置は、装置本体の前面から手前側に向けて引き出し可能に配設した収納体を備え、該収納体の引き出し方向手前側には、各別の硬貨を収納するバラ硬貨収納部が形成され、前記収納体の引き出し方向奥側には、複数枚の硬貨を積層して包装した棒状硬貨を収納する棒状硬貨収納部が形成されている硬貨収納装置であって、前記バラ硬貨収納部は、前記収納体の前面に配設されたバラ硬貨取出扉を介して硬貨を取り出し可能に形成されていることを特徴とする。
【発明の効果】
【０００９】
本発明によれば、各別の硬貨は、収納体を引き出さなくとも、バラ硬貨取出扉を介して取り出すことができる。従って、従来の硬貨収納装置のように、各別の硬貨のみを取り出し可能な状態にするためのストッパを設ける必要が無く、従来のように、棒状硬貨を充填しようとして、収納箱を引き出した際に、ストッパによって、引っ掛かることが無い。
【図面の簡単な説明】
【００１０】
【図１】図１は、本発明の硬貨収納装置を示す斜視図である。
【図２】図２は、図１の硬貨収納装置の収納体の硬貨取出扉を開けた状態を示す斜視図である。
【図３】図３は、図１の硬貨収納装置において収納体を全開状態とした斜視図である。
【発明を実施するための形態】
【００１１】
以下、添付図面を参照しながら本発明に係る硬貨収納装置の好適な実施の形態について詳細に説明する。
【００１２】
図１〜図３は、本発明の実施の形態である硬貨収納装置を示したものである。ここで例示する硬貨収納装置１は、図には明示していないが、ＰＯＳレジスタに接続された釣銭機に補充する棒状硬貨を準備金として収納するものである。棒状硬貨とは、同一金種の硬貨を予め設定した枚数だけ積層して包装し、１つの取扱単位として構成したものである。
【００１３】
硬貨収納装置１は、装置本体１０と、装置本体１０の内部に配設した収納体２０とを備えている。装置本体１０は、前面が開口した直方体状を成すものである。収納体２０は、装置本体１０に挿入可能となる大きさに構成したものであり、直方体状を成している。収納体２０は、装置本体１０の前面から手前側に向けて引き出し可能に配設される。収納体２０は、各別の硬貨を収納するバラ硬貨収納部２１と、棒状硬貨を収納する棒状硬貨収納部２２とを有している。
【００１４】
バラ硬貨収納部２１は、上面が開口した略直方体箱状の硬貨収納空間２３を有している。硬貨収納空間２３には、複数の硬貨収容室２４が形成されている。硬貨収容室２４は、図３に示すように、硬貨収納空間２３を仕切り部材２５によって左右方向に区切ることによって形成されている。仕切り部材２５には、後述する硬貨取出枠３２の仕切り部３２ａが挿入されて収納されるスリット２５ａが形成されている。硬貨収納空間２３の前側面は、略長方形板状のバラ硬貨取出扉３１によって構成されている。このバラ硬貨取出扉３１は、収納体２０の前面を構成している。バラ硬貨取出扉３１は、その下側を中心として前後方向に回転するようにして開閉する。
【００１５】
バラ硬貨取出扉３１の内側面には、硬貨取出枠３２が配設されている。硬貨取出枠３２は、仕切り部３２ａと前受け部３２ｂとを有している。前受け部３２ｂは、図３に示すように、略長方形板状に形成され、バラ硬貨取出扉３１の長さ方向に沿って、バラ硬貨取出扉３１の内側面から突出するように配設されている。仕切り部３２ａは、板状に形成され、一端が前受け部３２ｂと一体となるとともに、前受け部３２ｂと略垂直となるように配設されている。仕切り部３２ａは、仕切り部材２５に対応して複数形成されている。仕切り部３２ａは、バラ硬貨取出扉３１を閉めた際には、仕切り部材２５のスリット２５ａに挿入されて収納され、バラ硬貨取出扉３１を開けた際には、仕切り部材２５から突出し、仕切り部材２５を延長したように配置される。
【００１６】
また、収納体２０において、バラ硬貨収納部２１の右側には、紙幣収納部４１が形成されている。紙幣収納部４１は、上面が開口された略直方体上の凹部であり、例えばビール券やその他の商品券、あるいは紙幣等、縦横寸法が比較的大きな有価媒体、あるいは筆記用具やハサミ、ステープラ等のように縦横寸法が比較的大きな大型物品を収納するのに好適である。
【００１７】
棒状硬貨収納部２２は、収納体２０の奥側に配設されている。棒状硬貨収納部２２には、複数の硬貨収納凹部２２ａが形成されている。硬貨収納凹部２２ａは、棒状硬貨を横倒しの状態で収納するための半円筒状の凹所であり、軸心が収納体２０の前後方向に沿う状態で前後方向２列配置に形成してある。
【００１８】
収納体２０には、図示せぬ開閉ストッパが配設されており、バラ硬貨取出扉３１が開閉動作可能な状態と、開閉動作が不可能な状態とにすることができる。また、装置本体１０と収納体２０の間には、図示せぬ引出停止機構が配設されており、収納体２０が引き出し可能な状態と引き出し不可能な状態とにすることができる。
【００１９】
上記のように構成した硬貨収納装置１は、図には明示していないが、例えば装置本体１０の上面に釣銭機が載置され、さらにその上面にＰＯＳレジスタが載置された状態でスーパーマーケットやコンビニエンスストアに設置されるものである。
【００２０】
このように構成されている硬貨収納装置１は、バラ硬貨取出扉３１を開けることにより、装置本体１０から収納体２０を引き出さなくても、バラ硬貨収納部２１から釣り銭用の硬貨を取り出すことが出来る。また、装置本体１０から収納体２０を引き出すことにより、棒状硬貨収納部２２に棒状硬貨を充填する或いは取り出すことが可能となる。従って、従来の２段階引き出し式の硬貨収納装置と異なり、収納体２０を引き出す際に途中で止めるストッパが無いので、従来の硬貨収納装置のように途中でストッパに引っ掛かってしまうということが無い。
【００２１】
また、硬貨収納装置１の運用の際に、棒状硬貨を扱う人（所謂レジ管理者）のみが、収納体２０を引き出すことが可能となるように設定するとともに、バラ硬貨を釣り銭として支払う人（所謂キャッシャー）は、収納体２０を引き出し不可能に設定することにより、硬貨収納装置１の管理レベルを明確にわけることができる。また、バラ硬貨を取り出す際の硬貨収納装置１の動作（扉開動作）と、棒状硬貨を扱う際の硬貨収納装置１の動作（引き出し動作）が異なるので、運用上混乱をきたす恐れが少ない。
【符号の説明】
【００２２】
１    硬貨収納装置
１０    装置本体
２０    収納体
２１    バラ硬貨収納部
２２    棒状硬貨収納部
２２ａ    硬貨収納凹部
２３    硬貨収納空間
２４    硬貨収容室
２５    仕切り部材
２５ａ    スリット
３１    バラ硬貨取出扉
３２    硬貨取出枠
３２ａ    仕切り部
３２ｂ    前受け部
４１    紙幣収納部
【図１】
2011018231.tif 000003
【図２】
2011018231.tif 000004
【図３】
2011018231.tif 000005